(57)【要約】【課題】  本発明は従来の二枚戸を開閉する方法として別々であった開き戸と引き戸を両用させることである。引き戸として左右にスライド開閉していた二枚の扉が、開き戸としても使用できること。【解決手段】  異なる開閉方法を両立させるには、引き戸として使用時のレール部分が障害となり、開き戸として手前に開閉できない。そこで本来は外枠と一体化しているレール部分の半分を外枠から切り離して独立した構造とすることが特徴。また、このレール部分はコの字状の形をしており、蝶番によって外枠と接続させる。扉は重ね合わせた形で独立したレール部分に固定し、レール部分ごと開き戸として手前に開閉する仕組みの戸の構造。  引き戸として使用する場合には、固定された扉をレール部分から解除する仕組みを作り、同時にレール部分が開き戸として開放しないようにレール部分と外枠に新たな接続部分を作る仕組みを考案したことが特徴とする戸の構造。【選択図】        図６
2006241961.tif 000002
【特許請求の範囲】
【請求項１】
本発明は従来の二枚戸を開閉する方法として別々であった開き戸と引き戸を両用させることである。引き戸として左右にスライド開閉していた二枚の扉が、開き戸としても使用できることが特徴とする戸の構造。
【請求項２】
開き戸と引き戸のそれぞれの開閉方法を両立させるためには、引き戸使用時に扉がはずれることを防止するレール部分が障害となり、開き戸として手前に開閉できない。そこで本来は外枠（もしくは構造物本体）と一体化しているレール部分に改良を加えた。引き戸として一方の扉を開き、扉が重なり合うレール部分だけを外枠から切り離して独立した仕組みが特徴とする戸の構造。
【請求項３】
またこの独立したレール部分はコの字状の形をしているのが特徴で、蝶番によって外枠と接続させる。ここを支点としてレール部分が手前に開閉するのてある。つまり従来の開き戸は扉と外枠を蝶番で接続することによって開閉させる仕組みに対して、本発明はレール部分と外枠を蝶番で接続させてことによって、開き戸として開閉させる仕組みが特徴とする戸の構造。扉は重ね合わせた形でレール部分に固定する仕組みを作り、レール部分ごと一枚の扉のように開き戸として開閉するのである。
【請求項４】
引き戸として使用する場合には、開き戸とは逆の仕組みが必要となる。つまり開き戸使用時には必要であったレール部分と扉の固定を解除する仕組みを作りだすことで扉のスライドを可能にする。また同時にレール部分は蝶番でしか外枠と接続していないため、開き戸として開放しないようにレール部分と外枠に新たな接続部分を作る仕組みを考案したことが特徴とする戸の構造。これによりレール部分は固定され、外枠と一体型のレール部分と連結して、左右の扉をスライド開閉させること可能にする。
【発明の詳細な説明】
【技術分類】
【０００１】  本発明は構造物への人の出入り口、または物の搬入出口として設置される戸に関する。
【背景技術】
【０００２】  従来、扉を開閉するのには大別すると開き戸、または引き戸のどちらかによる方法を用いてきた。その方法は、家や倉庫のような新築構造物の場合には使用者が使用目的や利便性を考慮して二者択一の選択をしなければならなかった。また物置やキャビネットのような既成の構造物の場合には製造業者が生産性、利便性、デザイン、コスト等の判断によりどちらか一方の方法を採用し提供している状況である。【０００３】  そうした中、折り戸として扉を数枚に折りたたみながらスライドさせて効果的な両機能をもたせた開閉方法も実用されている。しかし根本である開き戸と引き戸の実質的な両用には至っていないのが現状である。本発明は、扉の形状を変えずに引き戸として左右にスライド開閉していた二枚の扉を開き戸としても使用すること可能にした。
【発明の開示】
【発明が解決しようとする課題】
【０００４】  上述のように従来の戸の開閉は、主に開き戸か引き戸のどちらかの開閉方法が用いられてきた。使用者は構造物の建築時または購入時に、用途に合わせてどちらかの選択をしなければならなかった。その結果、将来的な使用目的や立地条件、搬入物の容量の変化より著しく不便を生じさせるものとなっている。【０００５】  引き戸では開放スペースに限界があり、大勢の人が出入りする場合や予想以上の大きさの物を搬入する場合などに対応できず、利便性を低下させることがある。【０００６】  また開き戸では構造物の立地条件等の変化により開放スペースが減少することにより、人の出入りや物を搬入するのに不便が生じ、利便性、効率性の低下を招くこととなっている。【０００７】  上述のように将来的に発生する使用状況の変化に対応するためには開き戸で使用でき、かつ引き戸としても使用できるように改良すること。しかも操作性の簡素化も考慮しながら、使用者が状況に応じて二つの開閉方法の使い分けを可能にすること。
【課題を解決するための手段】
【０００８】  扉に折り戸のような効果的な両機能をもたせるのではなく、扉の形状を変えずに独立した開閉方法として開き戸と引き戸を両用できるようにするためには、外枠とレール部分そして扉に開閉方法に合わせた工夫を加えなければならない。【０００９】  まず開き戸で使用する場合、引き戸使用時に左右にスライド開閉していた扉を、蝶番を支点として外枠に固定しなければならない。また扉がはずれることを防止している引き戸のレール部分が障害となり、開き戸として開閉できない。以上、開き戸へ使用方法を変更する場合の二つの課題を解消するためにレール部分に新たな改良を加えたことが本発明の特徴である。【００１０】  次に引き戸で使用する場合、扉をスライドさせるためには開き戸使用時には必要であった外枠と扉の固定を解除させる必要がある。また開き戸から引き戸に開閉方法を変えるためには、扉が開き戸として手前に開かないように防止するための工夫が必要となる。本発明は引き戸へ使用方法を変更する場合の二つの課題を同時に解消する仕組みを考案した。
【発明の効果】
【００１１】  以上説明したように本発明は、開き戸と引き戸という二つの異なる開閉方法の両用ができることである。その最大の効果は、開閉方法を使用者の選択により自由な使い分けを可能にしたことである。その結果、使用者は建造物を新築する場合に二者択一の選択をする必要はなくなる。また既成構造物を購入する場合に一方的な開閉方法の提供に限られていた状況を改善する。【００１２】  従来の引き戸方法による開閉においては二枚扉で２分の１、三枚扉でも３分の２しかなかった扉の開放スペースを、本発明により使用可能となった開き戸方法を用いることにより１００％の開放スペースを確保することができる。開放スペースの拡大は将来的な搬入物の変化にも対応し、使用者の利便性を向上させるだけでなく、新たに扉を取り替える必要もなくなるなど経済的効果も大きい。【００１３】  また開き戸の開閉方法だけであれば、構造物の立地条件の変化により手前の開放スペースが減少し、人の出入りや物を搬入するのに不便が生じた場合には、本発明で使用可能となった引き戸方法を用いることで解消することができる。その効果は効率性を大きく向上させるとともに、上述同様の経済的効果も有する。
【発明を実施するための最良の形態】
【００１４】  以下、本発明の実施の形態を図面に基づき詳細に説明する。【００１５】  まず本発明の全体的な構造上の特徴を説明する。図１で左側のレール部分４は外枠１と一体化しているのに対して、右レール部分５は外枠１から独立した構造となっていることが第一の特徴である。これは引き戸として使用時に扉がはずれることを防止するレール部分が障害となり、開き戸として開閉できないためレール部分に改良を加えた。【００１６】  またこの右レール部分５はコの字状の形をしているのが第二の特徴であり、蝶番８によって外枠１と固定させる。ここを支点としてレール部分５が手前に開閉するのである。つまり自由にスライド開閉していた扉は、重ね合わせた形で図４が示すようにストッパー解除アームにより右レール部分５と固定され、右レール部分５ごと一枚の扉のように開き戸として開閉する仕組みである。【００１７】  引き戸で使用する場合には、開き戸と逆の仕組みが必要となる。扉をスライドさせるためには図３が示すように扉と右レール部分５を固定していたストッパー解除アームを解除すると同時に、右レール部分５を開き戸として開かないように防止するために外枠からストッパーにより固定する仕組みである。【００１８】  次に詳細を操作順に従って説明する。図１は左右の扉が閉じられた状態であり、従来どおり引き戸として使用できる状態である。左前扉２を右側にスライドさせれば左側の扉のスペース分が開放され、右後扉３を左側にスライドさせれば右側の扉のスペース分が開放される。【００１９】  まずこの状態から左前扉２を右側にきっちりスライドさせて左側を完全に開く。そして左前扉２が開放している時には、右後扉３は単独で左にスライドしない構造とする。この状態から開き戸として使用する。【００２０】  まず、図１の右後扉３の取っ手７は凹型で扉に固定されているのに対して、左前扉２の取っ手６は引き戸から開き戸へ開閉方法を変更するため、右上に９０度回転する仕組みとする。図２で示すように取っ手６は回転軸１１を通して扉内部の取付基板１２に接続する。取付基板１２には上部のストッパー解除アーム１３と下部のストッパー解除アーム１４を取り付ける。【００２１】  このストッパー解除アームは、取っ手６が縦の位置にあるときには図２が示すように斜めに左前扉２の内部に納められており、レール部分は外枠からの上部ストッパーと図３の下部ストッパー１５により開き戸として手前に開放しないように固定されている。取っ手６を右上に９０度回転させることにより、扉内部から出たストッパー解除アームは、右レール部分５と外枠１を固定している上部ストッパーを押し上げ、同時に下部ストッパー１５を押し下げて右レール部分５と外枠１との固定を解除することが第一の役割である。上部と下部のストッパーはスプリングコイル１８で上下動するため、図４が示すように外枠内部に納められる。【００２２】  ストッパー解除アームの第二の役割は、図４が示すように左前扉２を右レール部分５に固定することである。右後扉３は、左前扉２が開放している時には単独で左にスライドできない構造であるため、二枚の扉は完全に右レール部分５に固定された状態となる。以上の仕組みで重なって固定された二枚の扉を乗せた状態で右レール部分５が開き戸として開放する仕組みである。【００２３】  また開き戸で開放中に取っ手６の不必要な回転により左前扉２と右レール部分５の接続が解除されて扉がはずれることを防止するために、図５の取っ手の回転防止ロック１９を設けて開閉方法に合わせた取っ手の位置を維持させる。扉と接続している取っ手の回転防止ロック１９は取っ手のロック解除ボタン９を押すことで取っ手６の内部に納められて取っ手６の回転が可能となる。開き戸として使用する場合には取っ手６が横向きなり、取っ手の回転防止ロック１９は図１の取っ手の回転防止ロック穴１０に接続して固定される。【００２４】  次に開き戸として開放されている扉を閉める時には、図６が示すように上部ストッパーと下部ストッパー１５はスプリングコイル１８の力で外枠１から出ている状態で、右レール部分５の後面が上部ストッパーを押し上げ、下部ストッパーを押し下げながら扉を閉じる。なおレール部分５の後面部と上下ストッパーの前面部に傾斜をつけることにより、扉が閉じる時の衝撃をやわらげる機能をもたせる。【００２５】  扉の閉じた後、取っ手の回転防止ロック１９を解除して９０度左下に回転させる。これにより左前扉２の内部から出ていた上部のストッパー解除アーム１３と下部のストッパー解除アーム１４は左前扉２の内部に収納されて、上部ストッパーと図３の下部ストッパー１５がレール部分を外枠１に固定し、扉が手前に開くことを防ぐ。またストッパー解除アームを左前扉２の内部に収納することにより、左前扉２と右レール部分５の固定も同時に解除されて扉のスライドが可能となる。【００２６】  右レール部分５は外枠１と固定されることにより、外枠１と一体型の左レール部分４と連結して、二枚の扉は引き戸として左右にスライド開閉する仕組みである。なお左前扉２は右後扉３より少し大きい構造とする。ストッパー部分はレールがないため引き戸の閉鎖時に左前扉２の右戸車が落ち込み扉が傾くことを防ぐ。
【産業上の利用可能性】
【００２７】  本発明は家、倉庫、物置、キャビネット等の構造物で、戸を用いるすべての分野で利用することができる。
【図面の簡単な説明】
【００２８】
【図１】  本発明の外観を示す正面図である
【図２】  左前扉を右スライド時の透視図である
【図３】  左前扉を右スライド時のレール部分と外枠の固定を示す断面図である
【図４】  左前扉を右スライド時のレール部分と外枠の固定解除を示す断面図である
【図５】  左前扉の取っ手部分の側面図である
【図６】  開き戸として扉が開いた状態を示す傾視図である
【符号の説明】
【００２９】  １      外枠（もしくは構造物本体）
２      左前扉
３      右後扉
４      左レール部分
５      右レール部分
６      左前扉の取っ手
７      右後扉の取っ手
８      蝶番
９      取っ手のロック解除ボタン
１０      取っ手の回転防止ロック穴
１１      回転軸
１２      取付基板
１３      上部のストッパー解除アーム
１４      下部のストッパー解除アーム
１５      下部ストッパー
１６      下部ストッパー土台
１７      左前扉の左戸車
１８      スプリングコイル
１９      取っ手の回転防止ロック
【図１】
2006241961.tif 000003
【図２】
2006241961.tif 000004
【図３】
2006241961.tif 000005
【図４】
2006241961.tif 000006
【図５】
2006241961.tif 000007
【図６】
2006241961.tif 000008
【手続補正書】
【提出日】平成17年4月12日(2005.4.12)
【手続補正１】
【補正対象書類名】特許請求の範囲
【補正対象項目名】全文
【補正方法】変更
【補正の内容】
【特許請求の範囲】
【請求項１】
本発明は従来の二枚戸を開閉する方法として別々であった開き戸と引き戸を両用させることである。違い戸の引き戸として左右にスライド開閉していた二枚の扉が、開き戸としても使用できることが特徴とする戸の構造。
【請求項２】
開き戸として使用する場合には、引き戸使用時に扉がはずれることを防止するレール部分が障害となり、開き戸として手前に開閉できない。そこで本来は外枠（もしくは構造物本体）と一体化しているレール部分に改良を加えた。引き戸として前側にある扉を開いたときに、扉が重なる側のレール部分を外枠から切り離して独立した仕組みが特徴とする戸の構造。
【請求項３】
この独立したレール部分は、左前扉の引き戸の場合にはコの字型をしており、右前扉の引き戸の場合には逆コの字型をしているのが特徴で、蝶番によって外枠と接続させる。ここを支点としてレール部分が手前に開閉するのである。つまり従来の開き戸は扉と外枠を蝶番で接続することによって開閉させる仕組みに対して、本発明はレール部分と外枠を蝶番で接続させてことによって、開き戸として開閉させる仕組みが特徴とする戸の構造。扉は重ね合わせた形でレール部分に固定する仕組みを作り、レール部分ごと一枚の扉のように開き戸として開閉するのである。
【請求項４】
引き戸として使用する場合には、開き戸とは逆の仕組みが必要となる。つまり開き戸使用時には必要であったレール部分と扉の固定を解除する仕組みを作りだすことで扉のスライドを可能にする。また同時にレール部分は蝶番でしか外枠と接続していないため、開き戸として開放しないようにレール部分と外枠に新たな接続部分を作る仕組みを考案したことが特徴とする戸の構造。これによりレール部分は固定され、外枠と一体型のレール部分と連結して、左右の扉をスライド開閉させること可能にする。
【手続補正２】
【補正対象書類名】明細書
【補正対象項目名】００１５
【補正方法】変更
【補正の内容】
【００１５】  まず本発明の全体的な構造上の特徴を左前扉の引き戸の場合で説明する。図１で左側のレール部分４は外枠１と一体化しているのに対して、右レール部分５は外枠１から独立した構造となっていることが第一の特徴である。これは引き戸として使用時に扉がはずれることを防止するレール部分が障害となり、開き戸として開閉できないためレール部分に改良を加えた。
【手続補正３】
【補正対象書類名】明細書
【補正対象項目名】００２６
【補正方法】変更
【補正の内容】
【００２６】  右レール部分５は外枠１と固定されることにより、外枠１と一体型の左レール部分４と連結して、二枚の扉は引き戸として左右にスライド開閉する仕組みである。